(57)【要約】【課題】光源ランプの交換や装置本体内での修理作業を容易に行い得る背面投射型テレビジョン装置を提供する。【解決手段】キャビネット２の前面側に配設されてその背面側から投射された画面表示用の投射光Ｌを受光して映像を表示するスクリーンパネル３４と、キャビネット２内に脱着可能に配設されて投射光Ｌを投射するための光源ランプ４１と、キャビネット２に配設された作業用扉４とを備えたテレビジョン装置１であって、作業用扉４の開放を検出して検出信号を出力する開放検出センサ２０と、キャビネット２内に配設されてキャビネット２内を照明する交換作業用照明部１７と、開放検出センサ２０によって検出信号が出力されたときに交換作業用照明部１７を点灯させる制御部とを備えている。【選択図】図２
2004289804.tif 000002
【特許請求の範囲】
【請求項１】
装置本体の前面側に配設されてその背面側から投射された画面表示用の投射光を受光して映像を表示するスクリーンパネルと、前記装置本体内に脱着可能に配設されて前記投射光を投射するための光源ランプと、前記装置本体に配設された作業用扉とを備えた背面投射型テレビジョン装置であって、
前記作業用扉の開放を検出して検出信号を出力する検出部と、前記装置本体内に配設されて当該装置本体内を照明する照明灯と、前記検出部によって前記検出信号が出力されたときに前記照明灯を点灯させる制御部とを備えている背面投射型テレビジョン装置。
【請求項２】
前記作業用扉は、前記装置本体に形成されて前記光源ランプを交換するための交換作業用開口部を開閉可能に配設され、
前記照明灯は、前記光源ランプの周囲を照明する請求項１記載の背面投射型テレビジョン装置。
【請求項３】
前記制御部は、前記検出部によって前記検出信号が出力されたときに前記光源ランプに対する電力供給を停止させる請求項１または２記載の背面投射型テレビジョン装置。
【請求項４】
前記制御部は、前記光源ランプに電力が供給されている状態において前記検出部によって前記検出信号が出力されたときに前記照明灯を点滅させる請求項１から３のいずれかに記載の背面投射型テレビジョン装置。
【請求項５】
前記照明灯は、赤色光を発光可能に構成されている請求項４記載の背面投射型テレビジョン装置。
【請求項６】
前記照明灯は、固体光源で構成されている請求項１から５のいずれかに記載の背面投射型テレビジョン装置。
【請求項７】
前記光源ランプに電力を供給する主電源と、前記照明灯に電力を供給する補助電源とを備え、
前記補助電源は、蓄電可能に構成されている請求項１から６のいずれかに記載の背面投射型テレビジョン装置。
【発明の詳細な説明】
【技術分野】
【０００１】
本発明は、スクリーンパネルの背面側から投射光を投射して映像を表示する背面投射型テレビジョン装置に関するものである。
【背景技術】
【０００２】
近年、ディジタル放送の拡大やディジタル方式のＡＶ（audio-visual）機器の普及に伴って、大画面を高画質で表示するテレビジョンの需要が拡大している。この種のテレビジョンとして、背面投射方式（リアプロジェクション方式）で映像を表示する背面投射型テレビジョン装置が従来から知られている。この背面投射型テレビジョン装置では、キャビネット内に配設されたプロジェクタ装置が、キャビネットの前面側に配設された光透過型のスクリーンパネルに対して、その背面から投射光を投射することによって映像を表示させる。この場合、プロジェクタ装置は、例えば高圧水銀灯などの大光量の投射光を投射可能な光源ランプを備えている。このため、この背面投射型テレビジョン装置では、大型のスクリーンパネルに高画質の映像を高輝度で表示することが可能になっている。しかしながら、プロジェクタ装置の光源ランプは、一般的に１０，０００時間程度の使用で球切れするおそれがある。したがって、その際には、例えばキャビネットの背面にねじ止めされている背面パネルを取り外して球切れした光源ランプを交換する必要がある。また、一般的に、背面投射型テレビジョン装置は、部屋の壁面にその背面を接近させて設置される。このため、光源ランプを交換する際には、背面投射型テレビジョン装置自体を移動してキャビネットの背面パネルを取り外す必要がある。したがって、この種の背面投射型テレビジョン装置には、光源ランプの交換の際に、背面投射型テレビジョン装置の移動や背面パネルの取り外しが煩雑であるという問題点が存在する。
【０００３】
この問題点を解決する手段として、特開平９−９８３５５号公報には、キャビネット（１）における収納棚（３）の壁面に光源ランプユニット（２ａ）を交換するための窓（３ｂ）を形成した液晶プロジェクションテレビ受像機が開示されている。この液晶プロジェクションテレビ受像機では、窓の口縁部に取り付けらている蓋（３ｃ）を開放して、その窓から手を差し入れてキャビネット内に収納されている光源ランプユニットを交換する。したがって、この液晶プロジェクションテレビ受像機では、光源ランプユニットの交換時において、液晶プロジェクションテレビ受像器自体の移動やキャビネットの背面パネルの取り外しが不要となっている。
【特許文献１】特開平９−９８３５５号公報（第４頁）
【発明の開示】
【発明が解決しようとする課題】
【０００４】
ところが、この従来の液晶プロジェクションテレビ受像器には、以下の問題点がある。すなわち、一般的に、この種の液晶プロジェクションテレビ受像器では、キャビネットの内部が暗いため、窓から光源ランプユニットを視認するのが困難な結果、手探りで光源ランプユニットを交換することとなる。したがって、この液晶プロジェクションテレビ受像器には、光源ランプユニットの交換自体が困難であるという問題点が存在する。この場合、例えば懐中電灯などでキャビネット内部を照明しつつ光源ランプユニットを交換する方法も考えられるが、この方法では、片手で光源ランプユニットの取り外しや取り付けを行うことになるため、依然として交換自体が困難である。
【０００５】
本発明は、かかる問題点に鑑みてなされたものであり、光源ランプの交換や装置本体内での修理作業を容易に行い得る背面投射型テレビジョン装置を提供することを主目的とする。
【課題を解決するための手段】
【０００６】
上記目的を達成すべく本発明に係る背面投射型テレビジョン装置は、装置本体の前面側に配設されてその背面側から投射された画面表示用の投射光を受光して映像を表示するスクリーンパネルと、前記装置本体内に脱着可能に配設されて前記投射光を投射するための光源ランプと、前記装置本体に配設された作業用扉とを備えた背面投射型テレビジョン装置であって、前記作業用扉の開放を検出して検出信号を出力する検出部と、前記装置本体内に配設されて当該装置本体内を照明する照明灯と、前記検出部によって前記検出信号が出力されたときに前記照明灯を点灯させる制御部とを備えている。
【０００７】
この背面投射型テレビジョン装置では、作業用扉を開放した際に、検出部が作業用扉の開放を検出して検出信号を出力する。これに応じて、制御部が照明灯を点灯させて装置本体内を照明させる。このため、装置本体内を明瞭に視認することが可能となる。また、懐中電灯などで装置本体内を照明する必要がないため、光源ランプの取り外しや取り付け、および装置本体内での修理作業を両手で行うことが可能となる。したがって、球切れした光源ランプの交換や装置本体内での修理作業を容易に行うことが可能となる。
【０００８】
また、本発明に係る背面投射型テレビジョン装置は、上記の背面投射型テレビジョン装置において、前記作業用扉は、前記装置本体に形成されて前記光源ランプを交換するための交換作業用開口部を開閉可能に配設され、前記照明灯は、前記光源ランプの周囲を照明する。
【０００９】
この背面投射型テレビジョン装置では、作業用扉を開放した際に交換作業用開口部が開口し、照明灯が光源ランプの周囲を照明する。したがって、光源ランプの周囲を開口部から明瞭に視認することが可能となるため、球切れした光源ランプをさらに容易に交換することができる。
【００１０】
また、本発明に係る背面投射型テレビジョン装置は、上記の背面投射型テレビジョン装置において、前記制御部は、前記検出部によって前記検出信号が出力されたときに前記光源ランプに対する電力供給を停止させる。
【００１１】
この背面投射型テレビジョン装置では、例えば、光源ランプ用電力の供給および供給停止を切り替えるためのスイッチを切断することなく交換作業を行った場合、光源ランプに対する電力供給が停止されている。したがって、ユーザーは、ランプ交換作業中に例えば光源ランプ用のソケットに手が接触したとしても感電することなく作業を行うことができる。
【００１２】
また、本発明に係る背面投射型テレビジョン装置は、上記の背面投射型テレビジョン装置において、前記制御部は、前記光源ランプに電力が供給されている状態において前記検出部によって前記検出信号が出力されたときに前記照明灯を点滅させる。
【００１３】
この背面投射型テレビジョン装置では、制御部は、光源ランプに電力が供給されている状態において作業用扉が開放されたときに照明灯を点滅させる。このため、例えば、光源ランプ用電力の供給および供給停止を切り替えるためのスイッチを切断することなく作業用扉を開放したときに、ユーザーは、この点滅による報知に従い、異常操作を行ったことを認識して、そのスイッチを切断することが可能となる。また、そのスイッチを有していない場合には、ユーザーは注意を払いつつ作業を行うことが可能となる。したがって、光源ランプの交換作業を安全に行うことが可能となる。
【００１４】
さらに、本発明に係る背面投射型テレビジョン装置は、上記の背面投射型テレビジョン装置において、前記照明灯は、赤色光を発光可能に構成されている。
【００１５】
この背面投射型テレビジョン装置では、制御部は、光源ランプに電力が供給されている状態において作業用扉が開放されたときに赤色光の照明灯を点滅させる。この場合、一般的に赤色光が他の色の光と比較して注意喚起の効果が大きいため、より注意すべき旨をユーザーに一層確実に報知することが可能となる。
【００１６】
また、本発明に係る背面投射型テレビジョン装置は、上記の背面投射型テレビジョン装置において、前記照明灯は、固体光源で構成されている。
【００１７】
この背面投射型テレビジョン装置では、一般的に固体光源が耐久性および効率に優れているため、光源ランプの周囲を長期間に亘って効率よく照明させることが可能となる。
【００１８】
また、本発明に係る背面投射型テレビジョン装置は、上記の背面投射型テレビジョン装置において、前記光源ランプに電力を供給する主電源と、前記照明灯に電力を供給する補助電源とを備え、前記補助電源は、蓄電可能に構成されている。
【００１９】
この背面投射型テレビジョン装置では、主電源が光源ランプに電力を供給し、蓄電可能に構成された補助電源が照明灯に電力を供給する。このため、例えば、ＡＣプラグを商用交流用コンセントに接続していない状態であったとしても装置本体内を照明することができる。
【発明を実施するための最良の形態】
【００２０】
以下、添付図面を参照して、本発明に係る背面投射型テレビジョン装置の最良の形態について説明する。最初に、背面投射型テレビジョン装置（以下、「テレビジョン装置」ともいう）１の構成について、図面を参照して説明する。テレビジョン装置１は、図１，２に示すように、キャビネット（装置本体）２の前面側に配設されて後述する表示装置１５の一部を構成するスクリーンパネル３４にその背面から投射光Ｌを投射することによって映像を表示可能に構成されている。具体的には、テレビジョン装置１は、図３に示すように、メインスイッチ１１、主電源１２、補助電源１３、スイッチ１４、表示装置１５、ランプ駆動回路１６、交換作業用照明部１７、制御部１８および開放検出センサ２０を備え、これらの各構成要素は、キャビネット２の内部に収容され、またはキャビネット２の外部に取り付けられている。また、図１，２に示すように、キャビネット２の前面下部には、後述するプロジェクタユニット３１の光源ランプ４１を交換するための開口部（交換作業用開口部）３が形成されている。また、キャビネット２には、開口部３を開閉可能な作業用扉４が取り付けられている。
【００２１】
メインスイッチ１１は、主電源１２を起動させるためのスイッチであって、図１に示すようにキャビネット２の前面に設けられている。主電源１２は、図３に示すように、スイッチ１４を介してランプ駆動回路１６に電力を出力する。この場合、主電源１２は、メインスイッチ１１が投入されたときに電力を生成し、メインスイッチ１１が切断されたときに電力の生成を停止する（つまり電力の出力を停止する）。補助電源１３は、ＡＣプラグが商用交流用コンセントに接続されたときにメインスイッチ１１の接断状態に拘わらず補助用の直流電圧を生成して制御部１８を初めとして各部に供給する。また、補助電源１３は、制御部１８によって点滅指示信号Ｓ３が出力されていないときには、交換作業用照明部１７を点灯させるための直流電圧Ｖｄｃを連続的に出力し、制御部１８によって点滅指示信号Ｓ３が出力されたときには、直流電圧Ｖｄｃの出力および出力停止を所定の周期で繰り返す。
【００２２】
スイッチ１４は、図３に示すように、互いに連動して切り替えられる第１スイッチ素子１４ａおよび第２スイッチ素子１４ｂを備えて構成され、制御部１８から出力される制御信号Ｓ２に従って切り替え制御される。具体的には、スイッチ１４は、制御信号Ｓ２が出力されていないときには、同図に示す状態を維持して、補助電源１３によって生成された直流電圧Ｖｄｃを交換作業用照明部１７に供給することなく、主電源１２によって生成された電力を第１スイッチ素子１４ａを介してランプ駆動回路１６に供給する。逆に、制御信号Ｓ２が出力されているときには、スイッチ１４は、同図に示す状態から切り替え制御されて、主電源１２によって生成された電力をランプ駆動回路１６に供給することなく、直流電圧Ｖｄｃを第２スイッチ素子１４ｂを介して交換作業用照明部１７に供給する。
【００２３】
表示装置１５は、図２に示すように、プロジェクタユニット３１、ミラー３２、フレネルレンズ３３およびスクリーンパネル３４を備えて構成されている。プロジェクタユニット３１は、同図に示すように、光源ランプ４１、ミラー４２、変調手段４３および投射レンズ４４を備えている。この場合、プロジェクタユニット３１は、キャビネット２内の下部に配設されて、映像信号処理部１９によって出力された映像信号Ｓｇに基く映像を表示させるための投射光Ｌをミラー３２に向けて投射する。
【００２４】
光源ランプ４１は、図２に示すように、キャビネット２内における底面の背面側に脱着可能に取り付けられて、投射光Ｌ（白色光）を上向きに投射する。この場合、このテレビジョン装置１では、光源ランプ４１として、大光量の投射光Ｌを投射可能な例えば高圧水銀ランプが採用されている。ミラー４２は、光源ランプ４１によって投射された投射光Ｌを変調手段４３に向けて反射する。変調手段４３は、一例として、液晶パネル、入射側偏光板および射出側偏光板を備えた液晶ライトバルブ（図示せず）を備え、光源ランプ４１によって投射された投射光Ｌ（白色光）をスクリーンパネル３４に映像として表示可能な投射光Ｌに変調する。投射レンズ４４は、投射光Ｌを拡大してミラー３２に投射する。
【００２５】
ミラー３２は、キャビネット２内における上部の背面側に配設されて、プロジェクタユニット３１によって投射された投射光Ｌをフレネルレンズ３３に向けて反射する。フレネルレンズ３３は、ミラー３２およびスクリーンパネル３４の間に配設されて、プロジェクタユニット３１によって投射されてミラー３２によって反射された投射光Ｌを平行光（広義の意味の平行光）に変換してスクリーンパネル３４に投射する。スクリーンパネル３４は、透過型のスクリーンであって、図２に示すように、キャビネット２の前面側に配設されて、プロジェクタユニット３１によって背面から投射された投射光Ｌ（ミラー３２によって反射された投射光Ｌ）を受光して映像を表示する。
【００２６】
ランプ駆動回路１６は、いわゆるバラストであって、光源ランプ４１の発光に必要な高電圧を生成すると共に発光を安定して持続させる機能を有している。交換作業用照明部１７は、本発明における照明灯に相当し、例えば赤色光を発光するＬＥＤ（light emitting diode：本発明における固体光源の一例）で構成されている。また、交換作業用照明部１７は、図２に示すように、例えばキャビネット２内における背面下部に配設されて、点灯時には光源ランプ４１の周囲（キャビネット２の内部）を照明する。
【００２７】
制御部１８は、光源ランプ４１および交換作業用照明部１７に対する電力供給を制御する。具体的には、制御部１８は、メインスイッチ１１が切断されて主電源１２による電力の供給が停止されている状態で開放検出センサ２０によって開放検出信号（検出信号）Ｓ１が出力されたときには、制御信号Ｓ２をスイッチ１４に出力することにより、補助電源１３によって生成された直流電圧Ｖｄｃをスイッチ１４の第２スイッチ素子１４ｂを介して交換作業用照明部１７に供給する。また、制御部１８は、メインスイッチ１１が投入されて主電源１２からスイッチ１４の第１スイッチ素子１４ａを介して電力がランプ駆動回路１６に供給されている状態で開放検出信号Ｓ１が出力されたときには、上記したスイッチ１４に対する制御信号Ｓ２の出力に加えて、補助電源１３に対して点滅指示信号Ｓ３を出力して直流電圧Ｖｄｃの出力および出力停止を所定の周期で繰り返させることにより、交換作業用照明部１７を点滅させる。さらに、制御部１８は、プロジェクタユニット３１および映像信号処理部１９を統括的に制御する。
【００２８】
映像信号処理部１９は、一例として、チューナ、ＩＦ回路、音声検波回路、映像検波回路および増幅回路（いずれも図示せず）などを備えて構成され、例えば図外のリモートコントローラの操作によって選択されたチャンネルに対応する周波数の放送信号を抽出して、音声信号を図外の音声出力部に出力すると共に映像信号Ｓｇをプロジェクタユニット３１に出力する。開放検出センサ２０は、本発明における検出部に相当し、図２に示すように、キャビネット２の開口部３における上側の口縁部に配設されている。この場合、開放検出センサ２０は、作業用扉４が開放されたときに開放検出信号Ｓ１を出力し、作業用扉４が閉じられた状態では開放検出信号Ｓ１の出力を停止する。
【００２９】
次に、テレビジョン装置１の全体的な動作について、図面を参照して説明する。なお、初期状態では、スイッチ１４は図３に示す状態を維持しているものとする。
【００３０】
このテレビジョン装置１では、ＡＣプラグが商用交流用コンセントに接続されたときに、補助電源１３が、直流電圧を生成して制御部１８を初めとして各部に供給する。次いで、メインスイッチ１１が投入された際には、主電源１２が電力を生成して出力する。これにより、スイッチ１４の第１スイッチ素子１４ａを介してランプ駆動回路１６に電力が供給され、ランプ駆動回路１６が電力を光源ランプ４１に供給して投射光Ｌを投射させる。次に、例えばリモートコントローラの操作によって所定のチャンネルが指定された際には、映像信号処理部１９が、指定されたチャンネルに対応する周波数の放送信号を抽出して、音声信号を図外の音声出力部に出力すると共に映像信号Ｓｇをプロジェクタユニット３１に出力する。次いで、プロジェクタユニット３１の変調手段４３が、光源ランプ４１によって投射されてミラー４２によって反射された投射光Ｌ（白色光）を映像信号Ｓｇに基づく映像に応じた陰影や着色を施した映像表示用の投射光Ｌに変調する。この際に、変調された投射光Ｌは、投射レンズ４４によって拡大されて、図２に示すように、ミラー３２で反射されてフレネルレンズ３３によって平行光に変換された後に、スクリーンパネル３４の背面に投射される。これにより、映像がスクリーンパネル３４に表示される。
【００３１】
次に、球切れした光源ランプ４１の交換手順、およびその際のテレビジョン装置１の動作について図面を参照して説明する。この際には、まず、テレビジョン装置１のメインスイッチ１１を切断する。これに応じて、主電源１２が電力の生成を停止する。次に、図１に示すように、キャビネット２の作業用扉４を開放する。この際に、開放検出センサ２０が、作業用扉４の開放を検出して開放検出信号Ｓ１を制御部１８に出力する。これに応じて、制御部１８は、スイッチ１４に制御信号Ｓ２を出力してスイッチ１４を切り替える。
【００３２】
この結果、スイッチ１４の第２スイッチ素子１４ｂを介して直流電圧Ｖｄｃが供給されて、交換作業用照明部１７は、赤色光を発光して光源ランプ４１の周囲（キャビネット２の内部）を照明する。続いて、開口部３に手を差し込んで、キャビネット２の底面に取り付けられている光源ランプ４１を取り外した後に、新たな光源ランプ４１を取り付ける。この際に、交換作業用照明部１７による照明によって光源ランプ４１の取付位置が開口部３から明瞭に視認されるため、光源ランプ４１の取り外しおよび取り付けが確実かつ容易に行われる。また、光源ランプ４１の交換中においてメインスイッチ１１が誤って投入されて、その際に、光源ランプ４１用のソケットに手が接触していたとしても、スイッチ１４の第１スイッチ素子１４ａによって主電源１２からランプ駆動回路１６への電力の供給が停止されているため、感電事故が確実に防止される。
【００３３】
次いで、作業用扉４を閉じて開口部３を閉塞する。この際には、開放検出センサ２０が開放検出信号Ｓ１の出力を停止する。これに応じて、制御部１８は、スイッチ１４に対する制御信号Ｓ２の出力を停止する。したがって、スイッチ１４が同図に示す元の状態に切り替えられて、第２スイッチ素子１４ｂを介しての交換作業用照明部１７への直流電圧Ｖｄｃの供給が停止される。これにより、交換作業用照明部１７が消灯する。以上により、光源ランプ４１の交換が終了する。この後に、メインスイッチ１１が投入された際には、主電源１２から出力される電力がスイッチ１４の第１スイッチ素子１４ａを介してランプ駆動回路１６に供給され、これにより、光源ランプ４１は、ランプ駆動回路１６から出力される電力で駆動されて点灯する。
【００３４】
一方、光源ランプ４１の交換時において、本来切断すべきメインスイッチ１１を切断することなく作業用扉４を開放した際には、制御部１８は、メインスイッチ１１の投入状態、および開放検出センサ２０による開放検出信号Ｓ１の出力に基づいて、制御信号Ｓ２を出力してスイッチ１４を切り替えると共に補助電源１３に点滅指示信号Ｓ３を出力する。この際に、スイッチ１４の第１スイッチ素子１４ａがオフ状態に移行することにより、主電源１２から出力される電力のランプ駆動回路１６に対する供給が停止される。したがって、例えば光源ランプ４１用のソケットに手が接触したとしても、感電することなくランプ交換を行うことができる。また、スイッチ１４の第２スイッチ素子１４ｂがオン状態に移行することにより、補助電源１３から出力される直流電圧Ｖｄｃが交換作業用照明部１７に供給される。この場合、補助電源１３は、点滅指示信号Ｓ３に従って直流電圧Ｖｄｃの出力および出力停止を繰り返すため、交換作業用照明部１７は、赤色で点滅する。この結果、ユーザーは、本来切断すべきメインスイッチ１１を切断せずに作業用扉４を開放するという異常操作を行ったことを認識する。したがって、ユーザーに対してメインスイッチ１１の切断が促される。この後に、メインスイッチ１１が切断されたときには、制御部１８は、異常操作状態が解消したとして点滅指示信号Ｓ３の出力を停止する。この結果、補助電源１３が直流電圧Ｖｄｃを連続的に出力するため、交換作業用照明部１７が連続的に赤色光で照明する。次いで、上記した交換手順と同様にして光源ランプ４１が交換される。
【００３５】
なお、光源ランプ４１が球切れせずに正常に点灯している状態で作業用扉４を開放したときにも、制御部１８は、制御信号Ｓ２および点滅指示信号Ｓ３を出力する。したがって、この際にも、光源ランプ４１が消灯すると共に交換作業用照明部１７が点滅する。
【００３６】
このように、このテレビジョン装置１によれば、開放検出センサ２０が作業用扉４の開放を検出して開放検出信号Ｓ１を出力したときに交換作業用照明部１７がキャビネット２の内部を照明することにより、キャビネット２の内部を明瞭に視認することができる。したがって、ランプ交換やキャビネット２内での修理作業に不慣れなユーザーにとっては、暗いキャビネット２の内部に手を差し入れる不安感から解放される。また、例えば懐中電灯などでキャビネット２の内部を照明する必要がないため、光源ランプ４１の取り外しや取り付け、およびキャビネット２内での修理作業を両手で行うことができる。したがって、球切れした光源ランプ４１の交換やキャビネット２内での修理作業を容易に行うことができる。
【００３７】
また、作業用扉４を開放した際に開口部３が開口し、交換作業用照明部１７が光源ランプ４１の周囲を照明することにより、光源ランプ４１の周囲を開口部３から明瞭に視認することができるため、球切れした光源ランプ４１をさらに容易に交換することができる。
【００３８】
また、開放検出センサ２０によって開放検出信号Ｓ１が出力されたときにスイッチ１４を切り替えて光源ランプ４１に対する電力の供給を停止することにより、メインスイッチ１１を切断せずに交換作業を行い、その際に例えば光源ランプ４１用のソケットに手が接触したとしても、ユーザーは感電することなくランプ交換作業を行うことができる。
【００３９】
さらに、光源ランプ４１に電力が供給されている状態で開放検出センサ２０によって開放検出信号Ｓ１が出力されたときに交換作業用照明部１７を点滅させることにより、メインスイッチ１１を切断せずに作業用扉４を開放するという異常操作を行った旨を報知することができ、これにより、ユーザーに対してメインスイッチ１１の切断を促すことができる。したがって、電力が供給された状態でのランプ交換作業を回避することができる。
【００４０】
また、作業用扉４が開放されたときに交換作業用照明部１７を赤色光で点滅させることにより、より注意すべき旨をユーザーに一層確実に報知することができる。さらに、交換作業用照明部１７が耐久性および効率に優れたＬＥＤで構成されているため、光源ランプ４１の周囲を長期間に亘って効率よく照明させることができる。
【００４１】
なお、本発明は、上記の構成に限定されない。例えば、ＡＣプラグが商用交流用コンセントに接続されたときに補助用の直流電圧を各部に供給する補助電源１３を備えた構成例について上記したが、図４に示すように、補助電源１３に代えて、蓄電可能な補助電源１３Ａを備えたテレビジョン装置１Ａを採用することもできる。この場合、補助電源１３Ａは、商用交流電圧を直流電圧に整流（変換）する整流部５１と、例えば二次電池およびコンデンサの一方または両方で構成されて整流部５１によって整流された直流電圧で蓄電する蓄電部５２とを備えて構成されている。この場合、補助電源１３Ａは、ＡＣプラグが商用交流用コンセントに接続されているときには、上記した補助電源１３と同様にして作動する。一方、ＡＣプラグが商用交流用コンセントに接続されていないときには、蓄電部５２から電力を放出（放電）させることにより、補助用の直流電圧を各部に供給すると共に制御部１８による点滅指示信号Ｓ３の出力有無に応じて連続的にまたは所定の周期で断続的に直流電圧Ｖｄｃを出力する。このテレビジョン装置１Ａによれば、蓄電可能な補助電源１３Ａを備えたことにより、ＡＣプラグを商用交流用コンセントに接続していない状態であったとしてもキャビネット２の内部を照明することができる。
【００４２】
また、制御部１８が制御信号Ｓ２を出力してスイッチ１４を切り替える構成例について上記したが、開放検出信号Ｓ１によってスイッチ１４が直接的に切り替えられる構成を採用することもできる。また、赤色光を発光するＬＥＤで交換作業用照明部１７を構成した例について上記したが、赤色以外の他の色で発光するＬＥＤや、ＬＥＤに代えて白熱球などの各種ランプを採用することもできる。また、例えば、赤色で発光するＬＥＤと、緑色で発光するＬＥＤとで交換作業用照明部１７を構成し、メインスイッチ１１の切断後に作業用扉４を開放したときに緑色で発光するＬＥＤを連続点灯させ、メインスイッチ１１を切断せずに作業用扉４を開放したときに赤色で発光するＬＥＤを点滅させることもできる。さらに、背面投射型のテレビジョン装置１を例に挙げて上記したが、ＣＲＴ、液晶表示パネルおよびプラズマディスプレイのいずれかを備えたテレビジョン装置に本発明を適用することもできる。
【図面の簡単な説明】
【００４３】
【図１】テレビジョン装置１の構成を示す外観斜視図である。
【図２】テレビジョン装置１の概略構成を示す側面断面図である。
【図３】テレビジョン装置１の構成を示すブロック図である。
【図４】テレビジョン装置１Ａの構成を示すブロック図である。
【符号の説明】
【００４４】
１，１Ａ  テレビジョン装置、２  キャビネット、３  開口部、４  作業用扉、１２  主電源１２、１３，１３Ａ  補助電源、１４  スイッチ、１５  表示装置、１７  交換作業用照明部、１８  制御部、２０  開放検出センサ、３１  プロジェクタユニット、３４  スクリーンパネル、４１  光源ランプ、Ｌ  投射光、Ｓ１  開放検出信号
【図１】
2004289804.tif 000003
【図２】
2004289804.tif 000004
【図３】
2004289804.tif 000005
【図４】
2004289804.tif 000006